(57)【特許請求の範囲】
【請求項１】
キャビネット本体とキャビネット本体を覆うカバー体とが備えられ、キャビネット本体には、メタル通信線を接続する保安器ユニットの収納空間と、光ケーブル通信線の成端手段を取り付ける成端ユニットの収納空間とを仕切るホルダ体が設けられ、ホルダ体は開閉自在な箱形状であり、ホルダ体の内側に成端ユニットが収納され、ホルダ体の外側に保安器ユニットが収納されて仕切られていることを特徴とする加入者保安器用キャビネット。
【請求項２】
請求項１記載の加入者保安器用キャビネットにおいて、ホルダ体は、キャビネット本体に収納するトレイと、保安器ユニットが取り付け可能な蓋体を備え、トレイと蓋体はキャビネット本体から着脱自在であることを特徴とする加入者保安器用キャビネット。
【請求項３】
請求項２記載の加入者保安器用キャビネットにおいて、トレイに蓋体が開閉自在に設けられていることを特徴とする加入者保安器用キャビネット。
【請求項４】
請求項２または３記載の加入者保安器用キャビネットにおいて、トレイの内部には、成端手段を取り付けるための支持部と、光ケーブル通信線の余長部分を巻取る巻取り部と、光ケーブル通信線を誘導する誘導部と、光ケーブル通信線を挿通し位置決めするケーブル挿通部とを有する成端ユニットが設置されることを特徴とする加入者保安器用キャビネット。
【発明の詳細な説明】
【０００１】
【発明の属する技術分野】
本発明は、メタル通信線の外線と加入者側の内線との接続部に保安器ユニットを取り付けるための加入者保安器用キャビネットであって、特に光ケーブル通信線の成端処理も可能なキャビネットに関する。
【０００２】
【従来の技術】
雷による衝撃やその他の異常電圧等から通信機器を保護するため、メタル通信線の外線と加入者側の内線との接続部には、保安器用ユニットを備えた加入者保安器が例えば各加入者宅の外壁に設けられている。
【０００３】
また近年、光ケーブル網が普及しているため、光ケーブル通信線においても、外線と内線とを接続する成端処理が必要とされてきている。そのため、光ケーブル通信線の成端処理用の成端キャビネットが提案されてきた。
【０００４】
【発明が解決しようとする課題】
しかし、メタル通信線から光ケーブル通信線への切り替えや、メタル通信線と光ケーブル通信線との両方を加入者側へ引き込む際には、光ケーブル通信線の成端処理と加入者保安器とは従来それぞれ別々の専用キャビネットを用意し、別々に各加入者宅の外壁に設置されていた。
【０００５】
また、上記別々の専用キャビネットを各加入者宅の外壁に取り付ける場合には取り付けに要するスペースの確保が必要となるばかりでなく美観を損なうという不具合があった。
【０００６】
光ケーブル通信線の成端処理の取り付けは、ねじ止め方式やあらかじめ各加入者宅の外壁に板を打ち付けて板上に取り付ける方式によって行われる。この場合には、加入者保安器の専用キャビネットとは別に、新に加入者宅の外壁に開ける穴が増えるという問題も生じる。このような取り付けのための穴は、雨水等の侵入を引き起こす原因となるため、できるだけ開けないことが望まれていた。
【０００７】
本発明は、このような事情に対処してなされたもので、光ケーブル通信線の成端処理と加入者保安器の取付けを一体化して行い、収納効率の向上を図るとともに取り付けスペースの確保を容易にし、外観上の美観を向上させ、さらに外壁に開ける穴を少なくできる加入者保安器用キャビネットを提供することを目的とする。
【０００８】
【課題を解決するための手段】
上述の課題を考慮して、本発明は以下のような手段を採用する。
【０００９】
すなわち、請求項１では、キャビネット本体とキャビネット本体を覆うカバー体とが備えられ、キャビネット本体には、メタル通信線を接続する保安器ユニットの収納空間と、光ケーブル通信線の成端手段を取り付ける成端ユニットの収納空間とを仕切るホルダ体が設けられ、ホルダ体は開閉自在な箱形状であり、ホルダ体の内側に成端ユニットが収納され、ホルダ体の外側に保安器ユニットが収納されて仕切られていることを特徴とする。
【００１０】
この手段では、１つのキャビネット本体に、保安器ユニットの収納空間と成端ユニットの収納空間とが収納される。また、ホルダ体を介して、キャビネット本体の上側に保安器ユニットが収納され、下側には成端ユニットが収納される。
【００１１】
請求項２では、請求項１記載の加入者保安器用キャビネットにおいて、ホルダ体は、キャビネット本体に収納するトレイと、保安器ユニットが取り付け可能な蓋体を備え、トレイと蓋体はキャビネット本体から着脱自在であることを特徴とする。
【００１２】
この手段では、トレイと蓋体を有するホルダ体が、キャビネット本体に着脱自在に装着される。また、蓋体には保安器ユニットが取り付けられ、トレイには成端ユニットが取り付けられる。
【００１３】
請求項３では、請求項２記載の加入者保安器用キャビネットにおいて、トレイに蓋体が開閉自在に設けられていることを特徴とする。
【００１４】
この手段では、保安器ユニットを取り付けたまま蓋体の開閉が可能とされる。また、取り付け作業の効率が図れる。
【００１５】
請求項４では、請求項２または３記載の加入者保安器用キャビネットにおいて、トレイの内部には、成端手段を取り付けるための支持部と、光ケーブル通信線の余長部分を巻取る巻取り部と、光ケーブル通信線を誘導する誘導部と、光ケーブル通信線を挿通し位置決めするケーブル挿通部とを有する成端ユニットが設置されることを特徴とする。
【００１６】
この手段では、トレイの内部で光ケーブル通信線の成端が処理される。
【００１７】
【発明の実施の形態】
以下、本発明の実施の形態について、図面に基づいて説明する。図１は実施の形態の概略斜視図、図２は実施の形態の分解斜視図、図３は実施の形態の正面図、図４は実施の形態の蓋体を開いた時の正面図、図５は実施の形態の断面図、図６は実施の形態のケーブル挿通部の拡大斜視図である。
【００１８】
本発明の加入者保安器用キャビネット１００は、キャビネット本体１５０とキャビネット本体１００を覆うカバー体１５１とが備えられ、メタル通信線３５を接続する保安器ユニット３０の収納空間と、光ケーブル通信線１０の成端手段２０を取り付ける成端ユニット４０の収納空間とを仕切るホルダ体１６０がキャビネット本体１５０から着脱自在に設けられている。
【００１９】
ホルダ体１６０の内側に成端ユニット４０が収納され、ホルダ体１６０の外側には保安器ユニット３０が収納される概略構成である。
【００２０】
加入者保安器用キャビネット１００は、キャビネット本体１５０と、このキャビネット本体１５０に装着されるカバー体１５１とで覆われる内部に各種部品を収納可能としている。素材としては、樹脂製のものが適用される。
【００２１】
キャビネット本体１５０は、加入者宅の壁面に対抗する面として後面部１５２と、この後面部１５２を囲む下面部１５３と側面部１５４を有している。また、下面部１５３の下方には一体に延伸した固定部１５５も有している。キャビネット本体１５０は、キャビネット本体１５０に収納されるホルダ体１６０を備えている。後面部１５２の内側には、略中央にホルダ体１６０と着脱自在に嵌合される形状を有する嵌合壁部１５２１と、嵌入穴１５２２とが設けられている。嵌合壁部１５２１は、例えば、略楕円形状を有し、突設されている。また、嵌入穴１５２２は、嵌合壁部１５２１の略中央に位置し、後面部１５２の内側に設けられている。下面部１５３は、メタル通信線３５を挿通するメタル挿通溝１５３１が形成され、下面部１５３の両端には光ケーブル通信線３５を挿通する光挿通溝１５３２が形成されている。側面部１５４の両側には、カバー体１５１を装着するための装着部１５４０が設けられている。
【００２２】
固定部１５５は、固定面１５５１と、固定面１５５１に設けられた固定ねじ孔１５５２を備えている。加入者保安器用キャビネット１００自体を壁面に固定するため、ねじ１５５３で所望の壁面にねじ止め固定される。図中では、３箇所でねじ止め固定されており、加入者保安器用キャビネット１００の取り付けに際しては、これら３箇所のねじ止め以外に外壁に穴を開ける必要はない。
【００２３】
ホルダ体１６０は、箱形状であり、例えば、キャビネット本体１５０と略同形状を有する構成である。素材としては、ポリエチレン製を適用する。またホルダ体１６０は、蓋体１６２と、キャビネット本体１５０に収納されるトレイ１６１とを有する。
【００２４】
蓋体１６２は、蓋体１６２の片端に設けられたヒンジ部１６７によりトレイ１６１に開閉自在に設けられる。また、蓋体１６２は、蓋体１６２の中央両端に設けられたプレート穴部１６４と、蓋体１６２の中央に設けられ、キャビネット本体１５０の嵌合壁部１５２１と略同形状を有する嵌合穴部１６５とトレイ１６１と嵌め合うために設けられたくい込み部１６８から構成される。
【００２５】
取付部１６３は、蓋体１６２の略中央に設けられており、保安器ユニット３０の２回線分が配置できる広さを有する。
【００２６】
保安器ユニット３０を１回線分または２回線分、いずれを取り付ける場合にも、図２にしめすように、取付部１６３と保安器ユニット３０との間に接地板３１が設けられている。接地板３１には、雌ねじ部３１０が２箇所設けられており、保安器ユニット３０を並設してねじ３３でねじ止めすることができる。接地板３１は、接地板３１に設けられた雌嵌入部３２０とキャビネット本体１５０の嵌入穴１５２２とをねじ３２でねじ止めされることで固定される。したがって、保安器ユニット３０は、接地板３１の雌ねじ部３１０と雌嵌入部３２０とがねじ止めされることによって、取り付けと同時に接地することができる。
【００２７】
なお、図中では、１回線分の保安器ユニットを２個併設して２回線分としているが、これに限定するものではなく、２回線分が１ユニットとなった保安器ユニットを取り付けても良い。
【００２８】
トレイ１６１は、その内部に、光ケーブル通信線１０の成端手段２０を取り付けるための支持部１１０と、光ケーブル通信線１０の余長部分１１を巻き取る巻き取り部１２０と、光ケーブル通信線１０を誘導する誘導部１３０と、光ケーブル通信線１０を挿通し位置決めするケーブル挿通部１４０とが設けられている。また、トレイ１６１は、その側面部の片端に、蓋体１６２を閉めたときに嵌め合う突部１６９が設けられている。
【００２９】
支持部１１０は、トレイ１６１の中程の側面寄りで、両側に配置されており、どちらかを選択することができる。
【００３０】
１つの支持部１１０は、ガイド溝１１１とガイド溝１１１の片端に突起部１１２が設けられて構成されている。ガイド溝１１１には、成端手段２０のアダプタ２３のプレート部２４が差し込まれ保持固定される。アダプタ２３には、コネクタ２１、２２が装着され、外線側から引き込まれる光ケーブル通信線１０と加入者側に引き込まれる光ケーブル通信線１０とが成端されている。
【００３１】
巻き取り部１２０は、光ケーブル通信線１０がよれや折れ曲がり無く巻回できる構造であり、隔壁１２１と複数の突起とを備えている。
【００３２】
隔壁１２１は、光ケーブル通信線１０が何周回と巻回できるよう、光ケーブル通信線１０の曲径半径を維持できるほどの一定間隔を有し、内周側から外周側へ向かって何重かに設けられた構成である。
【００３３】
複数の突起は、収納される光ケーブル通信線１０がトレイ１６１の内部から逸脱しないよう設けられた突起であり、トレイ１６１の外周側から水平方向に立設され内周側に向かって設けられた第１突起１２２と、トレイ１６１の内周側から水平方向に立設され外周側に向かって設けられた第２突起１２３とから構成される。第１突起１２２は、トレイ１６１の側面１６６および隔壁１２１に設けられ、第２突起１２３は誘導部１３０に設けられる。
【００３４】
誘導部１３０は、トレイ１６１の内部で巻回される光ケーブル通信線１０のねじれやよれを防止し、効率よく収納するため設けられたガイド用突片１３１であり、トレイ１６１の中央に突設され、例えば、略楕円形状を有する。図中では、誘導部１３０はトレイ１６１の中央に上下２つ並設されている。
【００３５】
ケーブル挿通部１４０は、図６に示すように、光ケーブル通信線１０の外線と内線とを挿通し位置決めするためのものであり、トレイ１６１の下方に左右２箇所に設けられている。ケーブル挿通部１４０は、挿通基部１４１と押さえ部材１４２と連結部１４３とから構成され、挿通基部１４１と押さえ部材１４２とは連結部１４３によって連結され、挿通基部１４１の上部に押さえ部材１４２が嵌合されて光ケーブル通信線１０が位置決めされる概略構成である。
【００３６】
挿通基部１４１は、トレイ１６１の側面１６６に延設され、例えば弾性と可撓性を有する櫛歯状を適用する。挿通基部１４１には光ケーブル通信線１０を挿通するための挿通溝１４１１が形成され、挿通溝１４１１の壁面１４１５が光ケーブル通信線１０の軸方向にわたって櫛歯状に形成される。図中では、挿通溝１４１１が２本形成される。光ケーブル通信線１０は複数挿通可能とされる。また挿通基部１４１には、挿通溝１４１１と挿通溝１４１１との間に逃げ溝１４１２が形成される。挿通溝１４１１に異径の光ケーブル通信線１０を挿通しても、逃げ溝１４１２が撓むことにより、光ケーブル通信線１０は確実に位置決めされる。さらに挿通基部１４１には、水平方向に割溝１４１３が形成されている。割溝１４１３は異径の光ケーブル通信線１０を挿通し易くさせ、また複数の光ケーブル通信線１０を挿通させても、挿通基部１４１１の内部でその変形に対応できるよう設けられたものである。これにより、異径の光ケーブル通信線１０は挿通可能とされる。挿通基部１４１の両端中央に突起テーパー面を有した抜止突起１４１４が形成される。
【００３７】
押さえ部材１４２は、例えば弾性と可撓性を有する櫛歯形のキャップ形状を適用する。押さえ部材１４２は、例えばコ字形状を有する。押さえ部材１４２は、光ケーブル通信線１０の軸方向に挿通溝係入突条１４２１が形成される。また、押さえ部材１４２の両壁面１４２５には、水平方向に割溝係入突条１４２３が形成されている。さらに、押さえ部材１４２の両端中央には、抜止テーパー面を有した抜け止め受穴１４２４が形成されている。
【００３８】
押さえ部材１４２を挿通基部１４１の上部に嵌め合わせた場合には、挿通溝係入突条１４２１が挿通溝１４１１に嵌め合う。割溝１４１３が割溝係入突条１２３と嵌合され、突起テーパー面と抜止テーパー面とが接触しながら抜止突起１４１４が抜止受穴１４２４に係止される。
【００３９】
光ケーブル通信線１０を挿通溝１４１１に挿通させ、押さえ部材１４２を挿通基部１４１の上部に嵌め合わせた場合には、挿通溝１４１１と挿通溝係入突条１４２１とには、光ケーブル通信線１０の径より大なる挿通空間が形成される。これにより、光ケーブル通信線１０を複数挿通させることができる。
【００４０】
同時に、割溝１４１３と割溝係入突条１４２３とが嵌合されるとともに、押さえ部材１４２の付勢力を利用して、抜止突起１４１４が抜止受穴１４２４に係止される。
【００４１】
このように構成された加入者保安器用キャビネット１００を用いて、保安器ユニット３０と光ケーブル通信線１０の成端処理をそれぞれ１回線分収容させる場合の取り付け方法について説明する。なお、以下の手順は一例であり、その他の手順で行ってもよいことは言うまでもない。
【００４２】
まず、キャビネット本体１５０を、固定面１５５１の固定ねじ孔１５５２を介してねじ１５５３で壁面にねじ止め固定する。
【００４３】
次に、ホルダ体１６０をキャビネット本体１５０に嵌め込む。このとき、トレイ１６１の誘導部１３０がキャビネット本体１５０の嵌合壁部１５２１と嵌合し、トレイ１６１のケーブル挿通部１４０が光挿通溝１５３２と嵌め合わされる。
【００４４】
次に、ホルダ体１６０の蓋体１６２を開け、トレイ１６１の内部における成端ユニット４０の取り付けを行う。
【００４５】
一方の光ケーブル通信線１０をケーブル挿通部１４０の挿通基部１４１の挿通溝１４１１に通した後、押さえ部材１４２を挿通基部１４１の上部に嵌合させ、光ケーブル通信線１０の位置決めと抜け止めを行う。
【００４６】
次に、光ケーブル通信線１０の余長部分１１を巻き取り部１２０に巻回する。巻き取り部１２０は、隔壁１２１と第１および第２突起１２２、１２３によって適度なスペースが確保されているため、そのスペースに光ケーブル通信線１０の余長部分１１を落とし込むように巻回する。また誘導部１３０が、光ケーブル通信線１０の巻回をガイドし、よれやねじれを防止する。これにより、余長部分１１に無理な力を加えることなく巻回処理が行われる。
【００４７】
次に、光ケーブル通信線１０の余長部分１１の端部をコネクタ２１側に装着する。そして、コネクタ２２側には、他方の光ケーブル通信線１０の一端を装着し、他端は上述と同様に残ったケーブル挿通部１４０から外部に引き出される。そして、これらコネクタ２１、２２をアダプタ２３に装着し、光ケーブル通信線１０の成端を行う。そして、アダプタ２３のプレート部２４を支持部１１０のガイド溝１１１に差し込む。これによりアダプタ２３の固定が完了する。
【００４８】
蓋体１６２を閉めると、アダプタ２３のプレート部２４が、蓋体１６２のプレート穴部１６４と嵌め合わされ、トレイ１６１の誘導部１３０と蓋体１６２の嵌合穴部１６５とが合致する。
【００４９】
蓋体１６２に、接地板３１を取り付ける。接地板３１は、雌嵌入部３２０とキャビネット本体１５０の嵌入穴１５２２とをねじ３２でねじ止めすることより固定する。
【００５０】
同時に、接地板３１の雌ねじ部３１０に保安器ユニット３０をねじ３３でねじ止めする。メタル通信線３５を保安器ユニット３０の端子３４に接続し、接地板３１の中央のアース穴３３０にアース端子３６を取り付ける。メタル通信線３５の配線３９およびアース端子３６の配線３９は、キャビネット本体１５０のメタル挿通溝１５３１に引き込まれる。これにより、成端ユニット４０と保安器ユニット３０との取り付けが完了する。
【００５１】
次に、カバー体１５１をキャビネット本体１５０に装着する。装着部１５４０では、カバー体１５１のカバー側面部１５１１がキャビネット本体１５０の上部から側面部１５４にスライドして保持されるとともに、側面部１５４とこの側面部１５４の下方両端に設けられた側片部１５４２との間隙にカバー側面部１５１１が嵌め込まれることで、カバー体１５１の装着が完了する。これにより取り付けが完了する。
【００５２】
【本発明の効果】
以上のように、本発明の加入者保安器用キャビネットは、加入者保安器と光ケーブル通信線の成端処理との取り付けを一体化して行うことができ、収納効率の向上が図れるという優れた効果を有する。
【００５３】
また、取り付けスペースの確保を容易にでき、外観上の美観の向上も図れるという優れた効果も有する。
【００５４】
さらに、本発明の加入者保安器用キャビネットを取り付ける際にも、外壁に開ける穴の数が少なくできるという効果も有する。
【図面の簡単な説明】
【図１】  実施の形態の概略斜視図である。
【図２】  実施の形態の分解斜視図図である。
【図３】  実施の形態の正面図である。
【図４】  実施の形態の蓋体を開いた時の正面図である。
【図５】  図３のＡ−Ａ線断面図である。
【図６】  実施の形態のケーブル挿通部の拡大斜視図である。
【符号の説明】
１００      加入者保安器用キャビネット
１５０      キャビネット本体
１５２      後面部
１５２１    嵌合壁部
１５２２    嵌入穴
１５３      下面部
１５３１    メタル挿通溝
１５３２    光挿通溝
１５４      側面部
１５４０    装着部
１５４２    側片部
１５５      固定部
１５５１    固定面
１５５２    固定ねじ孔
１５５３    ねじ
１６０      ホルダ体
１６１      トレイ
１６２      蓋体
１６３      取付部
１６４      プレート穴部
１６５      嵌合穴部
１６６      側面
１６７      ヒンジ部
１６８      くい込み部
１６９      突部
１１０      支持部
１１１      ガイド溝
１１２      突起部
１２０      巻き取り部
１２１      隔壁
１２２      第１突起
１２３      第２突起
１３０      誘導部
１３１      ガイド用突起
１４０      ケーブル挿通部
１４１      挿通基部
１４１１    挿通溝
１４１２    逃げ溝
１４１３    割溝
１４１４    抜止突起
１４１５    壁面
１４２      押さえ部材
１４２１    挿通溝係入突条
１４２３    割溝係入突条
１４２４    抜止受穴
１４２５    壁面
１４３      連結部
１５１      カバー体
１５１１    カバー側面部
３０        保安器ユニット
３１        接地板
３１０      雌ねじ部
３２０      雌嵌入部
３２、３３  ねじ
３３０      アース穴
３４        端子
３５        メタル通信線
１０        光ケーブル線
３６        アース端子
３９        配線
【図１】
0003667681.tif 000002
【図２】
0003667681.tif 000003
【図３】
0003667681.tif 000004
【図４】
0003667681.tif 000005
【図５】
0003667681.tif 000006
【図６】
0003667681.tif 000007